(57)【要約】【課題】  ミラーリング記録する情報記録装置において、プリアラーム記録時の、記録データ量を削減する【解決手段】  入力されたデータを記録する複数の記録手段１４，１５と、前記複数の記録手段を接続する接続手段と、前記複数の記録手段を制御する記録制御手段１２を備えた情報記録装置１であって、複数の記録手段の内の１台以上をバックアップ用記録手段１５とし、他の記録手段の内１台以上をオリジナル用記録手段１４として記録を行うミラーリング記録により、プリアラーム記録用データＤ２１をオリジナル用記録手段１４にのみ記録するように制御する。【選択図】        図１
2005149371.tif 000002
【特許請求の範囲】
【請求項１】
入力されたデータを記録する複数の記録手段と、前記複数の記録手段を接続する接続手段と、前記複数の記録手段を制御する記録制御手段を備えた情報記録装置であって、
前記複数の記録手段の内の１台以上をバックアップ用とし他の記録手段の内１台以上をオリジナル用として記録を行うミラーリング記録により、プリアラーム記録用データは前記記録制御手段によってオリジナル用記録手段にのみ記録するように制御する
ことを特徴とする情報記録装置。
【請求項２】
請求項１に記載の情報記録装置において、ミラーリング記録によって記録されている通常記録用データをタイムシフト再生する時、前記通常記録用データは前記記録制御手段によりオリジナル用記録手段にのみ記録するように制御する
ことを特徴とする情報記録装置。
【請求項３】
請求項１に記載の情報記録装置において、バックアップ用記録手段とオリジナル用記録手段の他に特定の一台の記録手段を設け、前記プリアラーム記録用データは前記記録制御手段によって特定の一台の記録手段にのみ記録するように制御する
ことを特徴とする情報記録装置。
【請求項４】
入力されたデータを記録する複数の記録手段と、前記複数の記録手段を接続する接続手段と、前記複数の記録手段を制御する記録制御手段を備えた情報記録装置の情報記録方法において、
前記複数の記録手段の内の１台以上をバックアップ用とし、他の記録手段の内１台以上をオリジナル用とし、
通常記録用データはバックアップ用記録手段とオリジナル用記録手段にミラーリング記録により記録し、
プリアラーム記録時には、プリアラーム記録用データをオリジナル用記録手段にのみ記録することを特徴とする情報記録装置の情報記録方法。
【発明の詳細な説明】
【技術分野】
【０００１】
本発明は、記録媒体としてハードディスクドライブ等の複数の記録装置をオリジナル記録手段およびバックアップ記録手段として接続して、２台以上の記録装置に同時に同じデータの記録と行なうミラーリング記録と称される記録を行なうディジタル情報記録装置において、ミラーリング記録によって前記オリジナル記録手段と前記バックアップ記録手段に記録された通常記録用データ以外に、一時的に前記記録手段に記録されるプリアラーム記録用データ或いはタイムシフト再生中の通常記録用データを、前記オリジナル用記録手段にのみ記録するようにした情報記録装置および情報記録方法に関する。
【背景技術】
【０００２】
近年、映像等を記録再生する記録再生装置においては、高画質化に対する要望が増えてきたことによりアナログ信号の記録からディジタル信号の記録へ移行している。ディジタル信号で記録するための様々な記録媒体のうち、記録映像の検索性および操作性の観点から最近ハードディスクドライブ（以下、ＨＤＤと略称することがある）を使用する記録再生装置が増加している。
【０００３】
このようなＨＤＤを記録媒体とするディジタル記録再生装置において、記録の長時間化への要求の高まりに対応するため、記録容量を増大させることが必要とされてきており、ＨＤＤ単体としての容量アップが進んでいる。また、一方でＳＣＳＩ、ＵＳＢ等のインターフェースを使用することにより装置外部に複数のＨＤＤを増設できるようにすることで、簡単に記録容量を増加することができる装置が多くなってきている。
【０００４】
しかしながら、ＨＤＤは、可動部品が多くまた精密制御を行なっているためクラッシュ等の故障が起こった場合、データが破壊されデータの読み出しができなくなるという問題があった。
【０００５】
このため、従来から、データの破壊への信頼性を高めるためにミラーリング記録という技術を用いる情報記録再生装置がある。このミラーリング記録という技術用いた記録方式としては、情報記録再生装置に、常に記録をする特定のＨＤＤと少なくとも任意の第１のＨＤＤおよび第２のＨＤＤとを備え、特定のＨＤＤと任意の第１のＨＤＤを１組として設定してデータを記録し、記録残量がなくなった場合は、特定のＨＤＤと任意の第２のＨＤＤとを１組として再設定し、引き続きデータを記録する技術がある（例えば、特許文献１等参照）。すなわち、特定のＨＤＤは共通で、ペアとなる任意のＨＤＤを第１のＨＤＤ→第２のＨＤＤ→第３のＨＤＤのように順次切替えていく方法である。特定のＨＤＤは、バックアップ用として常に記録および上書き記録を繰り返し、データは任意のＨＤＤに順次切替えて記録するようにする。これにより、データは任意のＨＤＤに順次記録され、また所定の量のデータは特定のＨＤＤに記録されるので、常にデータを２台のＨＤＤで同時に記録していることになり、記録時にいずれかのＨＤＤにクラッシュ等が発生したことによるデータの破壊によって、読み出しができなくなることを防止できる。
【０００６】
しかしながら、上記方式によりミラーリング記録を行ったとき、監視カメラシステム等の一機能である、異常発生時刻からさかのぼって記録を行っているかのように処理を行うプリアラーム記録用データを記録した際、通常記録用データとプリアラーム記録用データに対してミラーリング記録を行うことによる記録データ量の増加が問題となる。
【０００７】
このプリアラーム記録とは、例えば異常発生時に記録される異常発生後の画像に加えて、異常発生時の異常発生前の画像を記録する機能である。
【０００８】
このプリアラーム記録の方法の一例として、一定時間、例えば異常発生前五分間の記録を残したい時は、最低でも現在時刻から過去五分間分の画像を、ＨＤＤあるいは半導体メモリなどに記録を行い、ある一定量（一定時間）の異常発生前のプリアラーム記録用データを異常発生時まで常時蓄積する方法があり、その蓄積記録にはＨＤＤや半導体メモリの一定領域に繰り返し記録を行い、異常が発生したとき、そのプリアラーム記録用データをＨＤＤ等にデータとして確定、保存するなどの方法が用いられている。
【０００９】
以上のように、監視カメラシステムなどにおいて、異常発生時のプリアラーム記録用データを記録する機能を用いてミラーリング記録を行うと、プリアラーム記録用データを記録しないミラーリング記録に比較して２倍のデータ量を記録しなければならず、多数のソースからの画像データを記録する場合には処理の負担が大きくなりすぎるという問題がある。
【特許文献１】特開平１１−２７６１１号公報（第４−７頁、第１図）
【発明の開示】
【発明が解決しようとする課題】
【００１０】
本発明の目的は、２台のＨＤＤに同時に同じデータを記録する上記ミラーリング記録と称される記録を行い、さらに監視カメラ等の一機能である、異常発生時のプリアラーム記録用データを記録するディジタル情報記録装置において、ＨＤＤへの記録処理負荷の軽い、信頼性の高いディジタル情報記録装置を提供することにある。
【課題を解決するための手段】
【００１１】
上記課題を解決する為に、本発明は、２台のＨＤＤに同時に同じデータを記録するミラーリング記録と称される記録を行い、異常発生時などのプリアラーム記録用データを記録するディジタル情報記録装置において、複数の記録装置（ＨＤＤ）の内の１台以上にバックアップ用として記録し、前記１台以上のバックアップ用の記録装置以外の記録装置にオリジナル用として記録するディジタル情報記録装置へのミラーリング記録による記録方式において、異常発生時のプリアラーム記録用データの記録はミラーリング記録を行わずオリジナル用ＨＤＤにのみデータの記録を行うこととする。
【発明の効果】
【００１２】
本発明によれば、バックアップ用ＨＤＤおよびオリジナル用ＨＤＤを有するディジタル情報記録装置において、２台のＨＤＤに同時に同じデータを記録するミラーリング記録と称される記録を行なうディジタル情報記録装置において、異常発生前のプリアラーム記録用データはミラーリングによる記録を行わずオリジナル用ＨＤＤにのみデータの記録を行うことによりＨＤＤへの記録処理負荷を軽くし、信頼性の高いディジタル情報記録装置を提供することができる。
【発明を実施するための最良の形態】
【００１３】
本発明の実施の形態について、図１〜図５を用いて以下に説明する。図１を用いて本発明にかかる第１の実施形態を説明する。図１は、ミラーリング記録によってオリジナル記録手段（以下、オリジナル用ＨＤＤという）とバックアップ記録手段（以下、バックアップ用ＨＤＤという）に通常記録データを記録し、プリアラーム記録用データ（画像データ、音声データを含む）をオリジナル用ＨＤＤにのみ記録するようにした、例えば監視カメラシステムに用いるディジタル情報記録装置の全体構成の概要を示す図である。
【００１４】
この情報記録装置において、通常記録用データはプリアラーム記録用データに比較してフレームを間引きするなどして小容量にされ、長時間のデータをバックアップできるようにされている。
【００１５】
図１において、監視カメラシステムに用いるディジタル情報記録装置１は、外部データ入力インタフェース１１と、記録制御手段１２と、ＨＤＤインタフェース１３と、オリジナル用ＨＤＤ１４と、バックアップ用ＨＤＤ１５とを有して構成され、ディジタル情報記録装置あるいはハードディスクレコーダと称する。
【００１６】
図１において、Ｄ１０はミラーリング記録用の通常記録用データ、Ｄ１１はオリジナル用ＨＤＤ記録用の通常記録用データ、Ｄ１２はバックアップ用ＨＤＤ記録用の通常記録用データ、Ｄ２０は非ミラーリング記録用の異常（アラーム）発生前のデータをＨＤＤに一時的に記録しておくプリアラーム記録用データ、Ｄ２１はミラーリング記録されないオリジナル用ＨＤＤ記録用のプリアラーム記録用データである。
【００１７】
なお、本実施形態では、記録手段としてＨＤＤを用いた例を説明するが、記録手段としてはＨＤＤに限らず他の記憶手段でも本発明の方法を運用することが可能である。また、図１では、特定ＨＤＤをオリジナル用ＨＤＤとして説明を行う。
【００１８】
始めに、第１の実施の形態を詳細に説明する前に、図１を用いてミラーリング記録を行う通常記録用データと、オリジナル用ＨＤＤにのみ記録するプリアラーム記録用データの内容について説明する。
【００１９】
まず、監視カメラシステムを構成する情報記録装置の記録機能には、ボタン操作などによりデータの記録を開始する記録機能や異常発生後のデータの記録を開始する記録機能（図１では通常記録用データＤ１０の記録に相当）と、異常発生時に異常発生前のデータを記録するための機能として、異常発生時刻から過去のデータを記録するプリアラーム記録機能（図においてプリアラーム記録用データＤ２０の記録に相当）がある。
【００２０】
第１の実施の形態では、上記ボタン操作や異常発生後にデータの記録を開始したデータを通常記録用データ、異常発生時刻から過去のデータを記録する記録機能によるデータをプリアラーム記録用データとしてある。
【００２１】
まず、図１に示した通常記録データについて説明する。通常記録用データは上記ボタン操作や異常発生時からデータを記録開始するデータで、本実施の形態ではミラーリング記録を行っているため、外部より入力された通常記録データＤ４０は記録制御手段１２によって、オリジナルデータとしてオリジナル用ＨＤＤ１４に対して記録をするように制御を行い、さらにバックアップデータとしてバックアップ用ＨＤＤ１５に対して記録するように制御が行われる。そして、通常記録用データＤ１０はＨＤＤインタフェース１３を介して、それぞれオリジナル用ＨＤＤ１４に対してオリジナルＨＤＤ記録用の通常記録用データＤ１１が、バックアップ用ＨＤＤ１５に対してバックアップＨＤＤ記録用の通常記録用データＤ１２が、それぞれ記録される。
【００２２】
次に、図１のプリアラーム記録用データに相当する、異常発生時刻から過去のデータを記録する記録方式によって異常発生前のデータの記録を行う方式について説明する。まず、異常等の記録開始のトリガとなる事象発生時に異常発生前データを記録するためには、第１にボタン操作や異常発生といった記録を開始する要因（以下、外部トリガという）が発生していなく、記録が開始していない状態から、プリアラーム記録用データＤ２１をオリジナル用ＨＤＤ１４に記録しておく。
【００２３】
そして、保持されているプリアラーム記録用データＤ２１は、異常発生などの外部トリガをきっかけにして、外部トリガが入力された異常発生時刻から過去のデータをプリアラームデータとして上書き禁止、或いはＨＤＤの他の領域にコピーするといった処理をおこない異常発生前データとして確定、保持される。
【００２４】
また、通常この異常発生前のデータは、異常発生時刻より一定時間前からの画像或いは一定のデータ量分の画像を保持するデータであり、ＨＤＤやメモリの使用領域を抑える為に、現在時刻からある時刻が経過したデータあるいはある一定のデータ量を保持し、一定のデータ量をオーバーしたデータのうち最古時刻のデータから消去することで、現在時刻からある一定期間前のデータ或いはある一定量のデータを、常にＨＤＤ或いはメモリ等に繰り返し記録を行いながら保持している。
【００２５】
以上のような記録方式によって、外部トリガＤ３０入力以前のデータを記録しておくことによって、外部トリガＤ３０発生などの異常発生時刻よりも過去のデータを記録することができる。
【００２６】
次に、第１の実施の形態について、上記ボタン操作や異常発生時から記録開始する通常記録用データの記録方法とオリジナル用ＨＤＤ１４にのみ記録を行うプリアラーム記録用データの記録方式を踏まえ、以下、説明を行う。
【００２７】
始めに、外部データ入力インタフェース１１から入力されたデータＤ４０は、記録制御手段１２によって、上記ボタン操作や異常発生時からデータを記録開始する通常記録用データＤ１０か、異常発生前のデータとして記録されるプリアラーム記録用データＤ２０かによって、記録先のＨＤＤが選択される。
【００２８】
まず，ボタン操作や異常発生時からデータを記録開始する通常記録用データＤ１０が入力された時は、上記通常記録データの記録方式のように、記録制御手段１２によってミラーリング処理が行われ、通常記録用データＤ１１はオリジナル用ＨＤＤ１４に、通常記録用データＤ１２はバックアップ用ＨＤＤ１５に記録するように制御が行われる。
【００２９】
次に、異常発生前のデータＤとして記録されるプリアラーム記録用データＤ１２が入力された時は、たとえミラーリング記録中であっても上記異常発生前のデータの記録方式と同様、記録制御手段に１２よってプリアラーム記録用データＤ２１はオリジナル用ＨＤＤ１４にのみ記録するように制御を行う。
【００３０】
図２を用いて、ミラーリング記録制御を行った時の、オリジナルＨＤＤ１４およびバックアップ用ＨＤＤ１５に記録されるデータを説明する。オリジナルＨＤＤ１４には、通常記録用データ領域１４１と、正規化プリアラーム記録用データ領域１４２と、プリアラーム記録用データ領域１４３を設けることができる。通常記録用データ領域１４２には通常記録用データＤ１１が記録される。ボタン操作等により正規化プリアラーム記録用データ領域１４２には、ボタン操作や異常発生時などの外部トリガ入力後の正規のデータ化されたプリアラーム記録用データが記録される。プリアラーム記録用データ領域１４３には、プリアラーム記録用データＤ２１が所定のデータ量毎に上書き記録される。
【００３１】
バックアップ用ＦＤＤ１５には、通常記録用データＤ１１と同じ通常記録用データＤ２１がミラーリング記録される。
【００３２】
上記の処理によってオリジナル用ＨＤＤ１４には通常記録用データＤ１１と、外部トリガ入力前の一時的に記録されたプリアラーム記録用データＤ２１と、外部トリガ入力後の正規のデータ化されたプリアラーム記録データが記録され、バックアップ用ＨＤＤ１５には通常記録用データＤ１２がバックアップ記録されている状態になる。
【００３３】
この説明では、プリアラーム記録用データ領域１４３と正規化プリアラーム記録用データ領域１４２とを設けた例を説明したが、正規化プリアラーム記録用データ領域１４２を設けることなくプリアラーム記録用データ領域１４３を複数個設けて、プリアラーム記録がなされた後は次のプリアラーム記録領域にそれ以降のプリアラーム記録を行うようにしてもよい。
【００３４】
図３を用いて、従来のミラーリング処理によって、通常記録用データに加え異常発生前のデータであるプリアラーム記録用データもオリジナル用ＨＤＤとバックアップ用ＨＤＤにミラーリング記録処理を行うディジタル情報記録装置１´の構成を説明する。ディジタル情報記録装置１´は、外部データ入力インタフェース１１と、記録制御手段１２´と、ＨＤＤインタフェース１３と、オリジナル用ＨＤＤ１４と、バックアップ用ＨＤＤ１５とを有している。
【００３５】
ミラーリング記録用通常記録用データＤ１０は、ＨＤＤインタフェース１３を介して、オリジナルＨＤＤ記録用の通常記録用データＤ１１としてオリジナル用ＨＤＤ１４に記録されるとともに、バックアップＨＤＤ記録用の通常記録用データＤ１２としてバックアップ用ＨＤＤ１５に記録される。同様に、ミラーリング記録用プリアラーム記録用データＤ２５は、ＨＤＤインタフェース１３を介して、オリジナルＨＤＤ記録用のプリアラーム記録用データＤ２６としてオリジナル用ＨＤＤ１４に記録されるとともに、バックアップＨＤＤ記録用のプリアラーム記録用データＤ２７としてバックアップ用ＨＤＤ１５に記録される。
【００３６】
このように、プリアラーム記録用データの記録に対してもミラーリング記録方式により二重化記録を行うと、通常記録用データのみをミラーリング記録によって記録するとともにプリアラーム記録用データをオリジナル用ＨＤＤにのみ記録する時に比べて、記録しなければならないプリアラーム記録用データは２倍に増加してしまう。そのため、従来のミラーリング記録方式のまま、異常発生前のデータとして記録されるプリアラーム記録用データの記録を行おうとすると、ＨＤＤの記録帯域や処理能力が不足してしまうおそれがあった。
【００３７】
以上のように、第１の実施の形態では、ミラーリング記録によってバックアップ用ＨＤＤに対して記録していたプリアラーム記録用データを削減することで、通常記録用データとプリアラーム記録用データに対してミラーリング記録処理を行う従来処理に比べ、記録データ量の増分を２倍から１．５倍に削減できる。また、本実施の形態は、異常発生時直前の期間のプリアラーム記録用データにのみ機能するため、異常発生時のデータは異常発生後直ちに確認が行われるのでＨＤＤの故障などが発生する確率も低く、データ保護の為のミラーリング機能が必要となる場合が少ないことから、本発明によってミラーリング記録時の記録処理負荷を軽減くし、信頼性の高いディジタル情報記録装置を提供することができる。
【００３８】
図４を用いて、本発明の第２の実施の形態を説明する。第２の実施の形態は、特定ＨＤＤを別途設け、プリアラーム記録用データの繰り返し記録を行うＨＤＤとして、オリジナル用ＨＤＤ或いはバックアップ用ＨＤＤ以外の特定ＨＤＤになるように記録制御手段によって記録する方式である。すなわち、第２実施の形態にかかるディジタル情報記録装置１は、外部データ入力インタフェース１１と、記録制御手段１２と、ＨＤＤインタフェース１３と、オリジナル用ＨＤＤ１４と、バックアップ用ＨＤＤ１５と、特定ＨＤＤ１６を有して構成される。
【００３９】
本実施の形態ではミラーリング記録を行っているため、外部より入力された通常記録データＤ４０は記録制御手段１２によって、オリジナルデータとしてオリジナル用ＨＤＤ１４に対して記録をするように制御を行い、さらにバックアップデータとしてバックアップ用ＨＤＤ１５に対して記録するように制御が行われ、プリアラーム記録用データは、特定ＨＤＤ１５に対して記録するよう制御が行われる。そして、通常記録用データＤ１０はＨＤＤインタフェース１３を介して、それぞれオリジナル用ＨＤＤ１４に対してオリジナルＨＤＤ記録用の通常記録用データＤ１１が、バックアップ用ＨＤＤ１５に対してバックアップＨＤＤ記録用の通常記録用データＤ１２が、それぞれ記録される。プリアラーム記録用データＤ２０は、ＨＤＤインタフェース１３を介して特定ＨＤＤ記録用プリアラーム記録用データＤ２２として特定ＨＤＤ１６に記録される。
【００４０】
上記のような制御をすることにより、異常発生前のプリアラーム記録用データの繰り返し記録を行う特定ＨＤＤ１６とオリジナル用ＨＤＤ１４とバックアップ用ＨＤＤ１５が異なる時、第１実施の形態の効果に加え、ＨＤＤに対する記録処理負荷を分散させることができるため、特定ＨＤＤ１６だけに対して記録が集中することを回避することが可能で、さらにオリジナル用ＨＤＤ１４に対する記録帯域の占有を回避することが可能となる。
【００４１】
図５および図６を用いて、本発明の第３の実施の形態にかかるディジタル記録再生装置の構成をを説明する。この実施の形態は、１つ以上の通常記録用データを記録中の監視カメラシステムやＡＶレコーダにおいて、通常記録データをオリジナル用ＨＤＤ１４とバックアップ用ＨＤＤ１５にミラーリング記録中に、オリジナル用ＨＤＤ１４に記録されたデータをタイムシフトして再生しながらタイムシフト再生中のデータを記録するディジタル記録再生装置５に関する。
【００４２】
このディジタル情報記録再生装置５は、該部データ入力インタフェース１１と、記録制御手段１２と、ＨＤＤインタフェース１３と、オリジナル用ＨＤＤ１４と、バックアップ用ＨＤＤ１５とを有して構成される。通常記録用データＤ１０は、ＨＤＤインタフェース１３を介して、オリジナル用ＨＤＤ記録用の通常記録データＤ１１はオリジナル用ＨＤＤ１４に、バックアップ用ＨＤＤ記録用の通常記録データＤ１２はバックアップ用ＨＤＤ１５に、それぞれ記録される。このときオリジナル用ＨＤＤ１４に記録された通常記録用データＤ１１は図示を省略した再生手段によってタイムシフトされて再生され、図示を省略したモニタなどに出力されるとともに、非ミラーリング記録用タイムシフト再生中記録データＤ２８として記録制御手段１２からＨＤＤインタフェース１３に送られ、オリジナル用ＨＤＤ記録用タイムシフト再生中記録データＤ２９として、オリジナル用ＨＤＤ１４にのみ非ミラーリング記録される。
【００４３】
この実施の形態のＨＤＤにおけるデータの記録状態は、図６に示すように、オリジナル用ＨＤＤ１４には、通常記録データ１４１と、タイムシフト再生しながら記録されたデータ１４１が記録され、バックアップ用ＨＤＤ１５には、通常記録用データ１５１がバックアップされる。
【００４４】
これにより、ミラーリング記録によるオリジナル用ＨＤＤ１４とバックアップ用ＨＤＤ１５への二重化された記録を行わず、オリジナル用ＨＤＤ１４にのみに正規のデータとして記録を行うことで、同時録画／再生を行うことによるバックアップ用ＨＤＤ１５に対する記録帯域の占有を回避することが可能となる。
【００４５】
以上の説明では、ミラーリング記録を行う記録手段としてＨＤＤを用いた例を説明したが、本発明に用いる記録手段は、ＨＤＤに限ることなく半導体メモリや、リムーバブル記録媒体としてもよい。
【図面の簡単な説明】
【００４６】
【図１】本発明の第１の実施の形態にかかるディジタル情報記録装置の構成の概要を示すブロック図。
【図２】本発明の第１の実施の形態にかかるディジタル情報記録装置のＨＤＤの内部状態を示す図。
【図３】従来のディジタル情報記録装置の構成を示すブロック図。
【図４】本発明の第２の実施の形態にかかるディジタル情報記録装置の構成の概要を示すブロック図。
【図５】本発明の第３の実施の形態にかかるディジタル情報記録再生装置の構成の概要を示すブロック図。
【図６】本発明の第３の実施の形態にかかるディジタル情報記録再生装置のＨＤＤの内部状態を示す図。
【符号の説明】
【００４７】
１…ディジタル情報記録装置
５…ディジタル情報記録再生装置
１１…外部データ入力インタフェース
１２…記録制御手段
１３…ＨＤＤＩ／Ｆ
１４…オリジナル用ＨＤＤ
１５…バックアップ用ＨＤＤ
１６…特定ＨＤＤ
１４１…通常記録用データ領域
１４２…正規化データ領域
１４３…プリアラーム記録用データ領域
１５２…通常記録用データのバックアップ
Ｄ１０…ミラーリング記録用の通常記録用データ
Ｄ１１…オリジナル用ＨＤＤ記録用の通常記録用データ
Ｄ１２…バックアップ用ＨＤＤ記録用の通常記録用データ
Ｄ２０…非ミラーリング記録用のプリアラーム記録用データ
Ｄ２１…オリジナル用ＨＤＤ記録用のプリアラーム記録用データ
Ｄ２２…オリジナル用ＨＤＤ記録用のプリアラーム記録用データ
Ｄ２５…非ミラーリング記録用のプリアラーム記録用データ
Ｄ２６…オリジナル用ＨＤＤ記録用のプリアラーム記録用データ
Ｄ２７…バックアップ用ＨＤＤ記録用のプリアラーム記録用データ
Ｄ２８…非ミラーリング記録用のタイムシフト再生中記録データ
Ｄ２９…オリジナル用ＨＤＤ記録用のタイムシフト再生中記録データ
【図１】
2005149371.tif 000003
【図２】
2005149371.tif 000004
【図３】
2005149371.tif 000005
【図４】
2005149371.tif 000006
【図５】
2005149371.tif 000007
【図６】
2005149371.tif 000008